(57)【要約】      （修正有）【課題】濾過後の血液を衛生的に回収することができ、血液回収用トレイに回収した血液は、衛生的かつ安全に速やかに廃棄することができる血液回収用トレイ及び血液回収器具を提供する。【解決手段】開口部６と底面部４及び当該底面部４に周設した側壁部５とからなる本体を有し、前記底面部４に複数の凸部３を突設し、前記本体内部に、開口部と底面部及び当該底面部に周設した側壁部とからなる本体を有し、かつ当該本体に血液濾過部材を装着した血液濾過フィルタを、底面部を下方に向けて装着する際に、底面部が、前記凸部３上部に接触して、直接、前記底面部４と接触しないように形成した血液回収用トレイ１。【選択図】図１
0003130710.tif 000002
【実用新案登録請求の範囲】
【請求項１】
開口部（６）と底面部（４）及び当該底面部（４）に周設した側壁部（５）とからなる本体（２）を有し、
前記底面部（４）に複数の凸部（３）を突設し、
前記本体（２）内部に、
開口部（１６）と底面部（１４）及び当該底面部（１４）に周設した側壁部（１５）とからなる本体（１２）を有し、かつ当該本体（１２）に血液濾過部材（１７）を装着した血液濾過フィルタ（１１）を、底面部（１４）を下方に向けて装着する際に、
底面部（１４）が、前記凸部（３）上部に接触して、直接、前記底面部（４）と接触しないように形成した、ことを特徴とする血液回収用トレイ（１）。
【請求項２】
開口部（６）と底面部（４）及び当該底面部（４）に周設した側壁部（５）とからなる本体（２）を有し、前記底面部（４）に複数の凸部（３）を突設した血液回収用トレイ（１）と、
開口部（１６）と底面部（１４）及び当該底面部（１４）に周設した側壁部（１５）とからなる本体（１２）を有し、かつ当該本体（１２）に血液濾過部材（１７）を装着した血液濾過フィルタ（１１）とから構成され、
前記血液濾過フィルタ（１１）の開口部（１６）を下方に向けて、前記血液回収用トレイ（１）の本体（２）内部に収納する際に、本体（１２）上部を、前記血液回収用トレイ（１）の前記複数の凸部（３）の間に、挟持して固定できるように、前記複数の凸部（３）を前記底面部（１４）に配置した、ことを特徴とする血液回収器具。
【請求項３】
前記血液濾過フィルタ（１１）の底面部（１４）から本体（１２）上部までの高さ（Ｈ２）を、前記血液回収用トレイ（１）の底面部（１４）から本体（１２）上部までの高さ（Ｈ１）と実質的に同じか、もしくはわずかに低く形成し、
前記血液濾過フィルタ（１１）の開口部（１６）を下方に向けて、前記血液回収用トレイ（１）の本体（２）内部に収納する際に、血液濾過フィルタ（１１）が、実質的に血液回収用トレイ（１）の本体（２）内部に納まるように形成した、ことを特徴とする請求項２に記載の血液回収器具。
【請求項４】
血液採取用のシリンジを含み、当該シリンジの血液採取容量よりも、前記血液回収用トレイ（１）の前記複数の凸部（３）間に形成される空間の容量を大きく形成した、ことを特徴とする請求項２または請求項３に記載の血液回収器具。
【考案の詳細な説明】
【技術分野】
【０００１】
本考案は、血液濾過フィルタで濾過した血栓等の生物由来物質を回収するための血液回収用トレイ及び血液回収器具に関する。例えば血栓吸引カテーテルの術後の血液を濾過する際に使用される。
【背景技術】
【０００２】
従来から使用されているほとんどの血栓吸引カテーテルには、血栓吸引カテーテルを使用する際に必要な補助具（アクセサリー）として血栓吸引用シリンジ、ストップコック、延長チューブ、及び血液濾過フィルタ等が必ず付属されている。
血栓吸引カテーテルで血栓を含む血液を吸引後、アクセサリーのひとつである血液濾過フィルタで血液を濾過する。この濾過作業については、作業台にガーゼや脱脂綿を敷き、ガーゼ等の上に血液濾過フィルタを置いて行なっているケースが多く見受けられる。そのため、作業台や術場が濾過した血液で汚れてしまうので衛生上好ましくなく、さらに血液の感染事故などの恐れもある。
【０００３】
カテーテルなどの使用中の作業効率を向上させたり、衛生環境を改善したりするための発明としては、例えば、特許文献１には、長さと弾力性のあるカテーテルやガイドワイヤーの、使用の直前・直後収納するための収納皿が記載されている。カテーテルなどを曲げた状態で収納できるよう、四周に壁を設けた矩形の皿で、各隅にスリット３を形成し、底面４中央部分に仕切突部５を設けて小物収納部６を形成した収納皿である。
【０００４】
また、特許文献２には、医療用器具封入用トレイ１内に配置され、底板５１にカテーテル使用時の医療用器具を保持する開口５３を有するスペーサー５０が記載されている。このスペーサー５０は、医療用器具封入用トレイ１内に、封入された医療器具が輸送等の際にトレイ内で移動したりしないようにすると同時に、医療器具使用時には、天地逆転させることで医療器具を保持する道具として使用できるというものである。
【０００５】
しかし、特許文献１の収納皿は、カテーテル本体等を収納するものであり、特許文献２のスペーサーは、医療用器具封入用トレイに使用しつつ、医療器具を保持できるという道具であることから、特許文献１、特許文献２の発明では、前述のような血栓吸引カテーテル使用時の環境を改善するには至らない。
【特許文献１】特開２００４−８９６１８（［００１１］、図１）
【特許文献２】特開２００５−２８７７９７（［請求項１］、［００３１］図９）
【考案の開示】
【考案が解決しようとする課題】
【０００６】
解決しようとする課題は、血栓吸引カテーテルで吸引した血栓を含む血液を、血液濾過フィルタで濾過する際、フィルタから濾過された血液を回収する手段がないため、どうしても術場を汚染することになり、衛生上に問題を生じていた点である。
【課題を解決するための手段】
【０００７】
［１］本考案は、開口部（６）と底面部（４）及び当該底面部（４）に周設した側壁部（５）とからなる本体（２）を有し、
前記底面部（４）に複数の凸部（３）を突設し、
前記本体（２）内部に、
開口部（１６）と底面部（１４）及び当該底面部（１４）に周設した側壁部（１５）とからなる本体（１２）を有し、かつ当該本体（１２）に血液濾過部材（１７）を装着した血液濾過フィルタ（１１）を、底面部（１４）を下方に向けて装着する際に、
底面部（１４）が、前記凸部（３）上部に接触して、直接、前記底面部（４）と接触しないように形成した血液回収用トレイ（１）を提供する。
［２］本考案は、開口部（６）と底面部（４）及び当該底面部（４）に周設した側壁部（５）とからなる本体（２）を有し、前記底面部（４）に複数の凸部（３）を突設した血液回収用トレイ（１）と、
開口部（１６）と底面部（１４）及び当該底面部（１４）に周設した側壁部（１５）とからなる本体（１２）を有し、かつ当該本体（１２）に血液濾過部材（１７）を装着した血液濾過フィルタ（１１）とから構成され、
前記血液濾過フィルタ（１１）の開口部（１６）を下方に向けて、前記血液回収用トレイ（１）の本体（２）内部に収納する際に、本体（１２）上部を、前記血液回収用トレイ（１）の前記複数の凸部（３）の間に、挟持して固定できるように、前記複数の凸部（３）を前記底面部（１４）に配置した血液回収器具を提供する。
［３］本考案は、前記血液濾過フィルタ（１１）の底面部（１４）から本体（１２）上部までの高さ（Ｈ２）を、前記血液回収用トレイ（１）の底面部（１４）から本体（１２）上部までの高さ（Ｈ１）と実質的に同じか、もしくはわずかに低く形成し、
前記血液濾過フィルタ（１１）の開口部（１６）を下方に向けて、前記血液回収用トレイ（１）の本体（２）内部に収納する際に、血液濾過フィルタ（１１）が、実質的に血液回収用トレイ（１）の本体（２）内部に納まるように形成した［２］に記載の血液回収器具を提供する。
［４］本考案は、血液採取用のシリンジを含み、当該シリンジの血液採取容量よりも、前記血液回収用トレイ（１）の前記複数の凸部（３）間に形成される空間の容量を大きく形成した［２］または［３］に記載の血液回収器具を提供する。
【考案の効果】
【０００８】
（１）術場を汚染することなく、濾過後の血液を衛生的に回収することができる。
（２）血液回収用トレイ１に回収した血液は、衛生的かつ安全に速やかに廃棄することができる。
（３）血液濾過フィルタ１１は、血液回収用トレイ１内に、外にはみだすことがなく、収納できるので、梱包時に嵩張ることがない。
（４）血液濾過フィルタ１１は、血液回収用トレイ１内に、動かないように固定して収納することができので、トレイ１内のフィルタ１１は、輸送時の振動や衝撃などによって無駄に動くことはなく、破損したりすることもない。
（５）血液採取用のシリンジの血液採取容量よりも、血液回収用トレイ１の複数の凸部３間に形成される空間の容量を大きく形成することにより、濾過した後の血液は、血液回収用トレイ１の底面部４に形成した複数の各凸部３の間（凸部３より低い位置）に溜まるので、血液濾過フィルタ１１の濾過部１７に残った血栓や生物由来物質を容易に確認することができる。
【考案を実施するための最良の形態】
【０００９】
図１は、本考案の血液回収用トレイ１の（Ａ）平面図、（Ｂ）側面図、（Ｃ）Ａ−Ａ´断面図、（Ｄ）Ｂ−Ｂ´断面図、図２は本考案に使用される血液濾過フィルタ１１の概略図、図３は本考案の血液回収用トレイ１に血液濾過フィルタ２を収納したときの平面図、図４（Ａ）は、図３のＣ−Ｃ´断面図、図４（Ｂ）は、図３のＢ−Ｂ´断面図、図５は血液回収用トレイ１と血液濾過フィルタ２の使用状態断面図で，（Ａ）は、図３のＣ−Ｃ´に相当する断面図、（Ｂ）は、図３のＢ−Ｂ´に相当する断面図である。
［血液回収用トレイ１］
本考案の血液回収用トレイ１（以下、単にトレイ１と略記する）は、図１に例示するように、開口部６と底面部４及び底面部４の周囲を囲むように立ち上げて形成（周設）した側壁部５とからなる本体２を有する。本体２上部は開口部６となって開放され、本体２下部は底面部４となって閉塞されている。
底面部４には本体２内部に突起する複数の凸部３を形成（突設）している。
さらに側壁部５上端から外側に向けて鍔部８を延設している。
トレイ１は、ポリスチレン、ポリプロピレン、ポリエチレン、ポリカーボネート、ポリエチレンテレフタレート及びポリ塩化ビニル等の合成樹脂を用い、プレス加工等により形成する。
【００１０】
［血液濾過フィルタ１１］
血液濾過フィルタ１１（以下、単にフィルタ１１と略記する）は、図２に例示するように、開口部１６と底面部１４及び底面部１４の周囲を取り囲むように立ち上げて形成（周設）した側壁部１５とからなる本体１２を有し、かつ当該本体１２に血液濾過部材１７を装着している。血液濾過部材１７は、図２の例示では、底面部１４に形成されている。
本体１２上部は開口部１６となって開放され、本体１２下部は底面部１４となって閉塞されている。さらに側壁部１５上端から外側に向けて鍔部１８と翼部１９を延設している。
血液濾過フィルタ１１の底面部１４から本体１２上部までの高さＨ２は、トレイ１の高さＨ１と実質的に同じか、もしくはわずかに低く設定するのが良い。例えばトレイの高さＨ１−フィルタ１１の高さＨ２＝０〜２ないし３ｍｍ程度が好ましい。
フィルタ１１をトレイ１へ収納する時（梱包・輸送時）には、図４に例示するように、フィルタ１１を倒立した状態（底面部１４を上、開口部１６を下に向けた状態）で、本体１２上部を、複数の各凸部３の間に嵌入すると、複数の各凸部３の間に、挟持して固定される。
またフィルタ１１は、トレイ１から実質的にはみ出ることなく、トレイ１内部にちょうど収まる。そのため、カートン（輸送用の紙器、段ボールの外箱等）に収納する際には、トレイ１単体を収納する場合と何ら変わりなく収納できるので、かさばったりすることはない。また、トレイ１内のフィルタ１１は、輸送時の振動や衝撃などによって無駄に動くことはなく、破損したりすることもない。
【００１１】
［凸部３］
凸部３は、図１（Ａ）、（Ｃ）、（Ｄ）に例示するように、底面部４から本体２の内部に突起するように複数形成（突設）している。
凸部３の配置、形状等の具体的な一例として、図１（Ａ）のような略楕円形状のトレイ１の底面部４に横３列に、さらに長方形の凸部３を互い違いになるように計１０箇所配置している（図１（Ａ）参照）。
この配置でフィルタ１１を収納すると、図３のようにトレイ１中央の４個の凸部３にフィルタ１１（の本体１２）が覆い被さり、本体１２上部の鍔部１８、翼部１９が、
中央の４個の凸部３と、それ以外の外側の６個の凸部３の間に、挟持されて固定される。
また、図１（Ａ）及び図３に例示するような位置に複数の凸部３を形成・配置することで、フィルタ２を使用する際には、図５のように開口部１６を上にして載置した場合、トレイ１内のどこに置いても、フィルタ１１の底面部１４は、凸部３に接触し、直接トレイ１の底面部４に触れることはない。さらにフィルタ１１が斜めに傾いたりすることもなしに、安定して置くことができる。
さらに、凸部３の高さＨ３を所定の高さ（例えばトレイ１の高さＨ１の１／１〜１／２程度）に形成することにより、フィルタ１１の濾過部１７で濾過した血液はこの凸部３の間（底面部４の凸部３よりも低い位置）に溜まり、フィルタ１１の濾過部１７を通過できなかった物質のみが、濾過部１７の底部に残る。したがって、血栓吸引カテーテルによりどのような血栓や生物由来物質が吸引除去できたのか、フィルタ１１の濾過部材１７に残った物質から容易に確認することができる。
なお、以上に例示する凸部３の形状及び位置は、最適な例の一つであり、これらに限定するものではない。要するに、凸部の形状、凸部を形成する位置、及び凸部の個数は、凸部３の形成による前述の作用が得られれば、凸部のどのような形状・位置・個数でも採用できる。
さらに血液採取用のシリンジの血液採取容量よりも、血液回収用トレイ１の複数の凸部３間に形成される空間の容量を大きく形成することにより、濾過した後の血液は、血液回収用トレイ１の底面部４に形成した複数の各凸部３の間（凸部３より低い位置）に溜まるので、血液濾過フィルタ１１の濾過部１７に残った血栓や生物由来物質を容易に確認することができる。
【００１２】
［使用例］
（１）トレイ１内に、倒立させた状態（開口部１６を下方に向けた状態）で収納されているフィルタ１１を、開口部１６が上、底面部１４が下になるように、トレイ１の凸部３に載置する。
（２）血栓吸引の術後、血栓吸引カテーテルからシリンジ内に吸引した血液を、フィルタ１１に注ぎ、濾過する。
（３）フィルタ１１の濾過部１７で濾過された血液は、トレイ１の底面部４上に溜まり、血栓等の塊はフィルタ１１内に残る。それにより、吸引除去されたものが容易に確認でき、また、トレイ１に回収した血液の廃棄時には、術場を汚染することなく衛生的にかつ速やかに処理できる。
【図面の簡単な説明】
【００１３】
【図１】本考案の血液回収用トレイ１の（Ａ）平面図、（Ｂ）側面図、（Ｃ）Ａ−Ａ´断面図、（Ｄ）Ｂ−Ｂ´断面図
【図２】本考案の血液濾過フィルタ１１の概略図
【図３】本考案の血液回収用トレイ１に血液濾過フィルタ２を収納したときの平面図
【図４】（Ａ）図３のＣ−Ｃ´断面図、（Ｂ）図３のＢ−Ｂ´断面図
【図５】血液回収用トレイ１と血液濾過フィルタ２の使用状態断面図（Ａ）図３のＣ−Ｃ´相当断面図、（Ｂ）図３のＢ−Ｂ´相当断面図
【符号の説明】
【００１４】
１  血液回収用トレイ（トレイ）
２  本体
３  凸部
４  底面部
５  側壁部
６  開口部
８  鍔部
１１  血液濾過フィルタ（フィルタ）
１２  本体
１４  底面部
１５  側壁部
１６  開口部
１７  濾過部材
１８  鍔部
１９  翼部
Ｈ１  トレイ１の側壁内部の高さ
Ｈ２  フィルタ１１の高さ
Ｈ３  凸部３の高さ
【図１】
0003130710.tif 000003
【図２】
0003130710.tif 000004
【図３】
0003130710.tif 000005
【図４】
0003130710.tif 000006
【図５】
0003130710.tif 000007